(57)【要約】【課題】  瞬断することなく結線作業等を容易に行う。【解決手段】  端子板サブモジュール又は保安器サブモジュールが備える並列に複数配置された第１スリット端子のうち、所定のスリット端子に第２スリット端子を電気的に導通させるためのスリット端子用コネクタにおいて、前記端子板サブモジュール又は保安器サブモジュールと嵌合により着脱するための嵌合爪を有するコネクタハウジングと、前記コネクタハウジングにより前記端子板サブモジュール又は保安器サブモジュールに嵌合された時に前記第１スリット端子に当接するコンタクト片と前記第２スリット端子とを有するスリット端子ブロックとを備えることにより上記課題を解決する。【選択図】  図３
2006107828.tif 000002
【特許請求の範囲】
【請求項１】
端子板サブモジュール又は保安器サブモジュールが備える並列に複数配置された第１スリット端子のうち、所定のスリット端子に第２スリット端子を電気的に導通させるためのスリット端子用コネクタにおいて、
前記端子板サブモジュール又は保安器サブモジュールと嵌合により着脱するための嵌合爪を有するコネクタハウジングと、
前記コネクタハウジングにより前記端子板サブモジュール又は保安器サブモジュールに嵌合された時に前記第１スリット端子に当接するコンタクト片と前記第２スリット端子とを有するスリット端子ブロックとを備えることを特徴とするスリット端子用コネクタ。
【請求項２】
前記第２スリット端子と、前記コンタクト片とが導電性を有する弾性体により接続されていることを特徴とする請求項１に記載のスリット端子用コネクタ。
【請求項３】
前記スリット端子ブロックは、
前記コネクタハウジングに対して着脱可能であることを特徴とする請求項１又は２に記載のスリット端子用コネクタ。
【請求項４】
前記第２スリット端子は、
シングルＵスリット又はダブルＵスリットであることを特徴とする請求項１乃至３の何れか１項に記載のスリット端子用コネクタ。
【請求項５】
前記コネクタハウジングは、
前記嵌合爪を前記端子板サブモジュール又は保安器サブモジュールのフレーム部分、又はＭＴＧに嵌合させることを特徴とする請求項１乃至４の何れか１項に記載のスリット端子用コネクタ。
【発明の詳細な説明】
【技術分野】
【０００１】
本発明は、スリット端子用コネクタに係り、特に、瞬断することなく結線作業等を容易に行うためのスリット端子用コネクタに関する。
【背景技術】
【０００２】
従来、電話やコンピュータ等、通信機能を有する機器間の通信回線（電線）を中継、又は分岐するための機器として端子板が用いられている（例えば、特許文献１参照。）。
【０００３】
特に、電話局等においては、膨大な数の回線や端子を管理する必要があるため、加入者ケーブルを交換機に直接接続せずに、所定の地域や建物毎に設けられた端子板に収容して管理している。
【０００４】
また、交換機と端子板の間には雷等による過電流や過電圧を遮断して交換機や通信機器等を保護するための保安器が設けられている。保安器は、回線を断線させたり、信号の取り出しを行うための断器機能と、雷等による過電流や過電圧を遮断する保安素子を設けた構成となっている。
【０００５】
なお、上述した端子板や保安器は、複数のサブモジュールがＭＴＧ（ＭＯＵＮＴＩＮＧ）等により多段に組み立てられ、端子板や保安器として構成されて電話局等に設置される。
【０００６】
ここで、従来の保安器サブモジュールの構成について図を用いて説明する。図１は、従来の保安器サブモジュールの一例を示す斜視図である。また、図２は、保安器サブモジュールの一例を示す平面図である。保安器サブモジュール１０は、大略するとプリント配線板１１と、スリット端子部１２と、スリットハウジング１３と、通線用ユニット１６と、半導体保安素子１７と、交換機側コネクタ１８ａ，１８ｂと、ケーブル付コネクタ２０ａ，２０ｂとにより構成されている。スリットハウジング１３には、１対のＵスリット端子１２ａ，１２ｂにより構成された複数のスリット端子部１２が配設されている。
【０００７】
また、Ｕスリット端子１２ａ，１２ｂには、入回線であるジャンパ線を接続するためのシングルＵスリットが各々１つ設けられている。また、Ｕスリット端子１２ａ，１２ｂは、プリント配線板１１に対して電気的に接続されている。
【０００８】
各々のＵスリット端子１２ａ，１２ｂは、半導体保安素子１７を介して交換機側コネクタ１８ａ，１８ｂと電気的に接続されている。この半導体保安素子１７は、通信回線から進入してくる過電圧又は過電流が交換機側の通信機器に流入することを防止するための素子である。
【０００９】
交換機側コネクタ１８ａ，１８ｂは、プリント配線板１１に対して一体的に配設されており、出回線接続用端子として用いられる。また、交換機側コネクタ１８ａ，１８ｂは、出回線用端子であるケーブル付コネクタ２０ａ，２０ｂを着脱させることができるよう形成されている。
【００１０】
また、通線用ユニット１６は、２枚のプリント配線板１１の間に挟み込まれた状態で取り付けられている。また、通線用ユニット１６は、ジャンパ線を挿入して内設するための通線口１６ａが形成されている。更に、図２に示すように、通線用ユニット１６の内部にはジャンパ線を内設するための溝部１９が形成されている。
【００１１】
上述した構成等からなる従来の保安器サブモジュール１０を用いて、作業者は、通線用ユニット１６に形成された通線口１６ａから溝部１９にジャンパ線を挿入し、Ｕスリットハウジング１３側からジャンパ電線を引き出して、所望のＵスリットに接続することで結線作業を行っている。
【００１２】
なお、上述した端子板や保安器を電話局等に設置する際には、電話局側にあるＭＤＦ（Ｍａｉｎ  Ｄｉｓｔｒｉｂｕｔｉｏｎ  Ｆｒａｍｅ）への取り付け寸法が決まっている。そのため、例えばＡＤＳＬ（Ａｓｙｍｍｅｔｒｉｃ  Ｄｉｇｉｔａｌ  Ｓｕｂｓｃｒｉｂｅｒ  Ｌｉｎｅ）用として保安器を用いる場合等には１つのＵスリット端子に２つのジャンパ線を結線することがないため、ジャンパ線のダブル付けが可能なダブルＵスリットではなく、上述したようなシングルＵスリットを使用することで、収容できるジャンパ線を増加させ端子板又は保安器の高密度化を図っている。
【特許文献１】実用新案登録第３０９２１４９号公報
【発明の開示】
【発明が解決しようとする課題】
【００１３】
しかしながら、例えば上述した端子板又は保安器が有する複数のＵスリット端子のうち、あるＵスリッット端子をＡＤＳＬ以外の回線用に使用する場合等は、端子板又は保安器が有するＵスリット端子は、シングルＵスリットであるため、予備のスリット部分が無く、複数のジャンパ線が接続できなかったり、ジャンパ線を差し替える場合にもシングルＵスリットに接続されたジャンパ線を取り外した後にジャンパ線の差し替えを行うことになるため、信号の瞬断が発生するという問題があった。
【００１４】
つまり、シングルＵスリットで形成されているＵスリット端子では、ダブル付けが不可能であり、シングルＵスリット又はダブルＵスリットの２種類の端子板サブモジュール又は保安器サブモジュールを用意して、サブモジュール毎にダブルＵスリットに交換するとしても、交換作業や結線作業のために膨大な時間と費用が必要となってしまう。
【００１５】
そのため、端子板サブモジュール又は保安器サブモジュールが有する複数のＵスリット端子を交換することなく、ダブル付け機能を持たせることができれば、作業員は交換器を交換したり、通信回線の番地変更をする場合にも瞬断せずに作業を行うことができる。
【００１６】
本発明は、上述した問題点に鑑みなされたものであり、瞬断することなく結線作業等を容易に行うためのスリット端子用コネクタを提供することを目的とする。
【課題を解決するための手段】
【００１７】
上記課題を解決するために、本件発明は、以下の特徴を有する課題を解決するための手段を採用している。
【００１８】
請求項１に記載された発明は、端子板サブモジュール又は保安器サブモジュールが備える並列に複数配置された第１スリット端子のうち、所定のスリット端子に第２スリット端子を電気的に導通させるためのスリット端子用コネクタにおいて、前記端子板サブモジュール又は保安器サブモジュールと嵌合により着脱するための嵌合爪を有するコネクタハウジングと、前記コネクタハウジングにより前記端子板サブモジュール又は保安器サブモジュールに嵌合された時に前記第１スリット端子に当接するコンタクト片と前記第２スリット端子とを有するスリット端子ブロックとを備えることを特徴とする。
【００１９】
請求項１記載の発明によれば、第１スリット端子及び第２スリット端子を用いてジャンパ線等のダブル付けを実現することができる。これにより、瞬断することなく結線作業等を容易に行うことができる。
【００２０】
請求項２に記載された発明は、前記第２スリット端子と、前記コンタクト片とが導電性を有する弾性体により接続されていることを特徴とする。
【００２１】
請求項２記載の発明によれば、弾性体の弾性力により第１スリット端子とコンタクト片とをより確実に当接させることができる。また、第１スリット端子の長さ等の寸法や位置が多少ずれているとしても、容易に第１スリット端子と当接することができる。
【００２２】
請求項３に記載された発明は、前記スリット端子ブロックは、前記コネクタハウジングに対して着脱可能であることを特徴とする。
【００２３】
請求項３記載の発明によれば、端子板サブモジュール又は保安器サブモジュール毎だけでなく、１回線毎にダブル付け機能を付加させることができる。また、必要な回線だけにスリット端子ブロックを装着することにより、コストダウンを図ることができる。
【００２４】
請求項４に記載された発明は、前記第２スリット端子は、シングルＵスリット又はダブルＵスリットであることを特徴とする。
【００２５】
請求項４記載の発明によれば、第２スリット端子がシングルＵスリットである場合は、第１スリット端子と第２スリット端子でジャンパ線等のダブル付けを付加でき、第２スリット端子がシングルＵスリットである場合は、第２スリット端子のみでジャンパ線等のダブル付けを実現することができる。
【００２６】
請求項５に記載された発明は、前記コネクタハウジングは、前記嵌合爪を前記端子板サブモジュール又は保安器サブモジュールのフレーム部分、又はＭＴＧに嵌合させることを特徴とする。
【００２７】
請求項５記載の発明によれば、スリット端子用コネクタをサブモジュールのスリットハウジング側に容易に取り付けることができる。
【発明の効果】
【００２８】
本発明によれば、瞬断することなく結線作業等を容易に行うことができる。
【発明を実施するための最良の形態】
【００２９】
＜本発明の概要＞
本発明は、Ｕスリット端子を有する端子板サブモジュール又は保安器サブモジュールのスリットハウジング部分にスリット端子用コネクタを接続することでダブル付け機能を付加し、ジャンパ線等のダブル付けを実現する。
【００３０】
以下に、本発明の特徴を有するスリット端子用コネクタを好適に実施した形態について、図面を用いて詳細に説明する。
【００３１】
図３は、本発明におけるスリット端子用コネクタと、その取り付けの一例を示す図である。なお、図３は、スリット端子用コネクタ３０を端子板サブモジュール４０のスリットハウジング面に取り付けている例を示すものである。ここで、図３（ａ）は、嵌合前のスリット端子用コネクタ３０及び端子板サブモジュール４０を示し、図３（ｂ）は、両者が嵌合された状態を示している。なお、スリット端子用コネクタ３０と嵌合されるものは、端子板サブモジュールに限定されず、例えば保安器サブモジュール等にも適用できる。
【００３２】
図３に示すように、スリット端子用コネクタ３０は、端子板サブモジュール４０と嵌合するために、コネクタハウジング３１の両側に嵌合爪３２−１，３２−２と有し、また端子板サブモジュール４０のＵスリットハウジング４１に保持されるＵスリット端子（第１スリット端子）４２の位置に対応してスリット端子ブロック３３が配置されている。
【００３３】
スリット端子ブロック３３は、端子板サブモジュール４０との嵌合側にＵスリット端子４２と当接する導電性を有するコンタクト片３４を有している。また、スリット端子ブロック３３には、コンタクト片３４と電気的に導通されるＵスリット端子（第２スリット端子）を有している。なお、スリット端子ブロック３３の具体的な構成については後述する。
【００３４】
また、スリット端子用コネクタ３０は、コネクタハウジング３１の嵌合爪３２−１，３２−２と、端子板サブモジュール４０のフレーム部分にあるコネクタ係止部４３−１，４３−２とにより端子板サブモジュール４０と嵌合される。したがって、嵌合爪３２−１、３２−２の形状は、フレームの形状により設定される。
【００３５】
なお、本実施形態ではフレームとの嵌合の例を示しているが、本発明においてはこの限りではなく、例えば、端子板モジュール４０がＭＴＧ等により多段に組み立てられている場合には、ＭＴＧのある部分と嵌合できるように嵌合爪３２を形成してもよい。更に、２つの嵌合爪３２−１、３２−２のうち、一方をＭＴＧと嵌合させ、他方をフレームと嵌合させるようにそれぞれの嵌合爪を形成させてもよい。これにより、スリット端子用コネクタをサブモジュールのスリットハウジング側に容易に取り付けることができる。
【００３６】
上述したようなスリット端子用コネクタ３０を、図３（ｂ）に示すように端子板サブモジュール４０に嵌合させることにより、スリット端子４２とコンタクト片３４とが当接し、
スリット端子ブロック３３が有するＵスリット端子がスリット端子４２と電気的に導通されることになる。
【００３７】
次に、スリット端子ブロックについて説明する。図４は、スリット端子ブロックの構成とサブモジュールのＵスリット端子と当接した状態の一例を示す図である。
【００３８】
スリット端子ブロック３３は、Ｕスリット端子（第２スリット端子）５１と、Ｕスリット端子４２と当接させるためのコンタクト片３４と、Ｕスリット端子５１及びコンタクト片３４とを電気的に導通させるための導電性を有する弾性体としてのコイルバネ５２と、Ｕスリット端子５１、コンタクト片３４、及びコイルバネ５２を保持するブロックハウジング５３とを有するよう構成されている。また、コンタクト片３４は、Ｕスリットハウジング４１の開口部５５に挿入可能となるよう形成されている。
【００３９】
ここで、スリット端子用コネクタ３３の嵌合時には、スリット端子ブロック３３のコンタクト片３４が開口部５５内に挿入され、図４（ｂ）に示すようにＵスリット端子４２とコンタクト片３４とが当接される。
【００４０】
なお、本発明においては、Ｕスリット端子５１とコンタクト片３４との間に弾性体を介さず両者が直接接続されていても、コンタクト片３４とＵスリット端子４２とがコネクタの嵌合時に当接できるよう調整されていればよい。しかしながら、より確実に当接させるために弾性体であるコイルバネ５２も設けた方がよい。
【００４１】
そのため、ブロックハウジング５３は、コンタクト片３４がコイルバネ５２の弾性力や嵌合時のＵスリット端子４２からの押圧力等により可動できるようコンタクト片可動空間５４が設けてある。また、コンタクト片３４は、ブロックハウジング５３に設けられたコンタクト片係止部５６−１，５６−２と係止するための突部５７−１，５７−２を設けている。
【００４２】
ここで、嵌合時にはスリット端子４２側からの押圧力によりコンタクト片３４がコイルバネ５２側に移動される。そのため、図４（ｂ）の矢印方向に弾性力が働き、Ｕスリット端子４２と、コンタクト片３４とがより確実に当接されることになる。また、Ｕスリット端子の長さ等の寸法や位置が多少ずれているとしても、コンタクト片３４の可動範囲であれば、容易にＵスリット端子と当接することができる。
【００４３】
これにより、スリット端子ブロック３３は、さまざまな種類（規格）のＵスリット端子を有する端子板又は保安器に汎用的に使用することができる。
【００４４】
また、Ｕスリット端子４２とスリット端子ブロック３３のＵスリット端子５１とが電気的に導通されることになるため、図４に示すように１回線に２つのシングルＵスリット（Ｕスリット端子４２及びＵスリット端子５１）を構成することができ、それぞれのＵスリット端子にジャンパ線を結線させることでダブル付け機能を付加し、ダブル付けを実現することができる。
【００４５】
また、図５は、スリット端子ブロックの他の実施例を示す図である。図５に示すようにスリット端子ブロック６０のＵスリット端子（第２スリット端子）６１をダブルＵスリットとすることで、スリット端子４２を使用せず、スリット端子ブロック６０のみで１回線に対応するダブル付け機能を付加し、ジャンパ線等のダブル付けを実現することができる。
【００４６】
これにより、作業員は、瞬断することなく結線作業を容易に行うことができる。つまり、Ｕスリット端子について、シングルＵスリット又はダブルＵスリットの２種類の端子板又は保安器を使い分ける必要がなく、また安価にダブル付け機能を付加することができる。
【００４７】
また、スリット端子ブロックは、上述したようにシングルＵスリット又はダブルＵスリット等のスリット端子に限らず、例えばリード線等とすることでスリット端子４２から信号を容易に取り出すことができ、これにより開通試験等を行うことができる。
【００４８】
なお、上述したスリット端子用コネクタは、使い回すことができるため、部品を共有化してコストダウンを実現でき、更には作業員の取り付け作業の簡略化も実現できる。
【００４９】
ここで、上述したスリット端子用コネクタは、端子板サブモジュール又は保安器サブモジュールに設けられた複数の並列されたスリット端子の全てに対してスリット端子ブロックが設けられていてもよく、また、サブモジュール内に設置された複数のＵスリット端子のうち、必要なＵスリット端子（回線）のみにスリット端子ブロック設けた構成をしてもよい。
【００５０】
そのため、本発明におけるスリット端子用コネクタは、上述したコネクタハウジングに対してスリット端子ブロックが着脱可能となるよう構成させるのが好ましい。ここで、上述の内容について図を用いて説明する。
【００５１】
図６は、スリット端子用コネクタの一例を示す図である。図６に示すように、スリット端子用コネクタ７０は、上述した端子板サブモジュール又は保安器サブモジュールが備える複数の並列されたＵスリット端子に対応して、スリット端子ブロック７１がコネクタハウジング７２に着脱できるようにコネクタ着脱部７３−１，７３−２が並列して形成されている。
【００５２】
つまり、ダブル付け機能を付加したいサブモジュールが有するＵスリット端子に対して、スリット端子ブロック７１をコネクタハウジング７２に所定の位置で固定されるよう嵌合等により装着する。
【００５３】
これにより、端子板サブモジュール又は保安器サブモジュール毎だけでなく、１回線（Ｕスリット端子）毎にダブル付け機能を付加させることができる。また、必要な回線だけにスリット端子ブロック７１を装着することにより、コストダウンを図ることができる。
【００５４】
なお、スリット端子用コネクタは、上述したようにスリット端子ブロックと、コネクタハウジングとを別体として構成されるだけでなく、コネクタハウジングの予め設定された位置に少なくとも１つのスリット端子ブロックを有する一体のスリット端子用コネクタとして構成してもよい。
【００５５】
上述したように、本発明によれば、端子板サブモジュール又は保安器サブモジュールが有する複数のＵスリット端子を交換することなく、ダブル付け機能を付加し、ジャンパ線等のダブル付けを実現することができる。これにより、瞬断することなく結線作業等を容易に行うことができる。
【００５６】
また、端子板サブモジュール又は保安器サブモジュール毎、あるいはサブモジュールの１回線毎にダブル付け機能を付加させることができる。また、ダブル付けが必要な回線だけに本発明を適用してコストダウンを図ることができる。
【００５７】
以上、本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００５８】
【図１】従来の保安器サブモジュールの一例を示す斜視図である。
【図２】保安器サブモジュールの一例を示す平面図である。
【図３】本発明におけるスリット端子用コネクタと、その取り付けの一例を示す図である。
【図４】スリット端子ブロックの構成とサブモジュールのＵスリット端子と当接した状態の一例を示す図である。
【図５】スリット端子ブロックの他の実施例を示す図である。
【図６】スリット端子用コネクタの一例を示す図である。
【符号の説明】
【００５９】
１０  保安器サブモジュール
１１  プリント配線板
１２  端子部
１２，４２，５１，６１  Ｕスリット端子
１３，４１  Ｕスリットハウジング
１６  通線用ユニット
１７  半導体保安素子
１８  交換機側コネクタ
１９  溝部
２０  ケーブル付コネクタ
３０，７０  スリット端子用コネクタ
３１，７２  コネクタハウジング
３２  嵌合爪
３３，６０，７１  スリット端子ブロック
３４  コンタクト片
４３  コネクタ係止部
４０  端子板サブモジュール
５２  コイルバネ（弾性体）
５３  ブロックハウジング
５４  コンタクト片可動空間
５５  開口部
５６  コンタクト片係止部
５７  突部
７３  コネクタ着脱部
【図１】
2006107828.tif 000003
【図２】
2006107828.tif 000004
【図３】
2006107828.tif 000005
【図４】
2006107828.tif 000006
【図５】
2006107828.tif 000007
【図６】
2006107828.tif 000008